【事件の表示】
　特願２００２−　２１６８４「パチンコ機」拒絶査定不服審判事件〔平成１５年　８月　５日出願公開、特開２００３−２２０２２８〕について、次のとおり審決する。
【結　論】
　本件審判の請求は、成り立たない。
【理　由】
第１　手続の経緯
　本願は平成１４年１月３０日の出願であって、平成１８年２月７日付けで拒絶の査定がされたため、これを不服として同年３月２８日付けで本件審判請求がされるとともに、同年４月２５日付けで明細書についての手続補正（以下「本件補正」という。）がされたものである。
　
第２　補正の却下の決定
［補正の却下の決定の結論］
　平成１８年４月２５日付けの手続補正を却下する。
　
［理由］
１．補正事項及び補正目的
　本件補正は特許請求の範囲の補正を含んでおり、特許請求の範囲（本件補正後を通じて請求項数は１）の請求項１における「前記抽出図柄の全てを円形の囲み線で囲みながら前記表示装置に表示」との記載を「前記抽出図柄の全てを
個々に
囲んで
　「囲みながら」を「囲んで」と補正することについては、請求項削除、特許請求の範囲の減縮、誤記の訂正又は明りようでない記載の釈明の何れにも該当しないが、補正を却下しなければならないほどの重大な補正事項と認めることはできないので、ここでは不問に付す。
　「
個々に
　
２．補正発明の認定
　補正発明は、本件補正により補正された明細書の特許請求の範囲【請求項１】に記載された事項によって特定される次のとおりのものである。
「表示装置に表示された複数の識別情報の図柄が変動し順次に停止して確定識別情報となった際に、前記確定識別情報が特定の組合せであれば、特別電動役物が作動して大当たり状態となるパチンコ機において、
　一定の時間間隔で更新されるカウンタの更新値をパチンコ球が始動口に入賞した時点で判定値として取得し所定値と比較する判定値比較手段と、
　前記判定値が所定値である場合には、前記確定識別情報を前記特定の組合せとする大当たり変動情報を作成し、前記判定値が前記所定値でない場合には、前記確定識別情報を、前記確定識別情報のうち最終停止識別情報のみが前記特定の組合せとは異なるリーチハズレの組合せにさせるリーチハズレ変動情報を作成し又は、前記確定識別情報を、前記特定の組合せ及び前記リーチハズレの組合せとは異なるものにさせる完全ハズレ変動情報を作成する変動情報作成手段と、
　前記大当たり変動情報又は、前記リーチハズレ変動情報、前記完全ハズレ変動情報に基づいて、前記表示装置に表示された複数の識別情報の図柄を変動させ順次に停止させて前記確定識別情報とし、その際に、各識別情報の図柄の表示を予め定められた順番で周期的に変動させる表示装置制御手段と、を備え、
　前記表示装置制御手段は、前記大当たり変動情報又は前記リーチハズレ変動情報に基づいて前記確定識別情報を前記表示装置に表示する場合に、前記最終停止識別情報の図柄の一部を抽出図柄として選定し、前記最終停止識別情報のみが変動しているリーチ状態になったときに、前記抽出図柄の全てを個々に円形の囲み線で囲んで前記表示装置に表示するとともに、前記最終停止識別情報の図柄を四角形の囲み線で囲みながら前記抽出図柄で前記順番を維持して周期的に変動させて表示し、その際に、前記抽出図柄として選定されなかった図柄を省いて前記抽出図柄のみで連続的に変動させるとともに、前記表示装置から前記抽出図柄を一つずつ消去させるとともに当該抽出図柄の囲み線を消去させること、を特徴とするパチンコ機。」
　
３．引用刊行物の記載事項
　原査定の拒絶の理由に引用された特開平１１−７６５３８号公報（以下「引用例１」という。）には、以下のア〜サの記載又は図示がある。
　ア．「遊技盤面上に打ち出された球が特定入賞口へ入賞した際に所定の図柄合わせゲームを実行し、その結果が当たりのとき遊技者に有利な特別価値を付与する遊技機において、
予め定めた複数種類の図柄のうち任意のものを表示し得る可変表示領域を複数備えた可変表示手段と、所定の図柄が揃うことで当たりの出る図柄合わせゲームを前記可変表示手段上で実行する図柄合わせゲーム実行手段と、前記可変表示手段上に確定表示される図柄の候補として前記複数種類の図柄のうち任意数のものを選択表示する確定候補表示手段と、前記図柄合わせゲームで当たりが出たとき前記特別価値を発生させる特別価値発生手段とを備え、
前記確定候補表示手段は、前記可変表示手段上にあと１つ所定の図柄が揃うと当たりになるリーチ状態が形成されたとき、前記複数種類の図柄のうち任意数の図柄を当該リーチ状態で図柄の未確定な残り１つの可変表示領域に最終的に確定表示される図柄の候補として表示し、
前記図柄合わせゲーム実行手段は、前記リーチ状態を形成した際に前記確定候補表示手段の表示した図柄の候補の中の１つを当該リーチ状態で図柄の未確定な残り１つの可変表示領域に確定表示して今回の図柄合わせゲームの実行結果を確定させることを特徴とする遊技機。」（【請求項１】）
　イ．「【従来の技術】従来、パチンコ機において、遊技盤面上に液晶モニター等の可変表示手段と特定入賞口（スタートチャッカー）と大入賞口（アタッカー）とを設け、スタートチャッカーに球が入賞したとき、可変表示手段上の図柄を一旦変動させた後停止させ、その際の図柄が特定の組み合せであった場合に当たりとなり、通常状態では閉じているアタッカーを一時的に開口させ、遊技者の有利な状態（特賞）を形成するものがある。」（段落【０００２】）
　ウ．「図柄変動欄２１上で実行される図柄合わせゲームは、数字の「０」から「９」までとスペード、ハート、クローバー、ダイヤを合わせた１４種類の図柄を用いて行うようになっている。上段に配置された６つの図柄種別表示欄２３には、図中左から「０」から「６」の数字が１つずつ順に割り当てられている。また下段に配置された６つの図柄種別表示欄２３には左から数字の「７」、「８」、「９」、スペード、ハート、クローバー、ダイヤの図柄が割り当てられている。」（段落【００２３】）
　エ．「確定候補表示手段６０は、リーチ状態において未確定のまま残っている１つの図柄変動欄２１上に最終的に確定表示される図柄の候補を選択し、図柄種別表示欄２３上に表示する機能を有している。確定候補表示手段６０は、候補となる図柄については、その図柄の描かれたカードの表面を表示し、候補から外れた図柄については図柄の描かれていないカードの裏面側を表示するようになっている。」（段落【００３１】）
　オ．「図柄合わせゲーム実行手段５０は、確率設定部７０から受けた確率指示信号４４に従った当選確率で抽選を行い、今回実行中の図柄合わせゲームの最終的な実行結果を決定し、これを可変表示手段２０の図柄変動欄２１上に確定表示するようになっている。」（段落【００３２】）
　カ．「図柄合わせゲームの最終的な実行結果が当たりか否かを示す実行結果表示信号４５は、図柄合わせゲーム実行手段５０から出力され、特別価値発生手段３０に入力されている。特別価値発生手段３０は、通常状態では閉じているが、遊技者に有利な特別価値を付与するときに開かれる大口の入賞口としてアタッカー３１を有しており、該アタッカー３１は、ソレノイド３２により開閉駆動される。」（段落【００３３】）
　キ．「図５ｃに示すように、３つの図柄変動欄２１ａ〜２１ｃのうちの２つ（２１ａ、２１ｂ）の図柄が確定した状態で、それら確定した２つの図柄が揃い、リーチ状態になった場合には（ステップＳ１０３；Ｙ）、図５ｄに示すように図柄種別表示欄２３の図柄を一斉に回転させてその変動を開始させる（ステップＳ１０４）。なお、リーチが出なかった場合には（ステップＳ１０３；Ｎ）、図柄合わせゲーム実行手段５０は、その後、残る１つの図柄を適宜の図柄で停止させ、外れの状態を確定表示し（ステップＳ１０５）、今回の図柄合わせゲームを終了する（エンド）。」（段落【００３９】）
　ク．「リーチ状態発生後、図５ｄから図５ｉに示すように、図柄種別表示欄２３の図柄を回転させる等して一旦間をおいた後、未確定状態の図柄変動欄２１ｃに最終的に表示される図柄の候補となるものを表面に返して任意数の候補を確定させる（ステップＳ１０６）。」（段落【００４０】）
　ケ．「図５に示した例では、７つの図柄をほぼ一斉に候補の図柄として確定させたが、候補の数が次第に減少するように演出する表示を行っても良い。たとえば、１４種類すべての図柄を一旦、候補として表面側を表示した後、図柄を順次裏返して、次第に候補として残る図柄の数を減少させるようにすることができる。このほか、図５に示したように一旦、所定数の候補を仮に確定させ、その後、候補となっている図柄を回転させ、１枚ずつ順に、表面と裏面のいずれかに最終確定させることで候補の数を減少させてもよい。」（段落【００４２】）
　コ．「以上説明した実施の形態では、トランプカードに見立てたものの表面を表示するか裏面を表示するかによって候補の図柄を選択表示したが、他の方法により候補の図柄を選択表示するようにしても良い。」（段落【００４９】）
　サ．【図５】（ｉ）には、最終的に確定表示される図柄の候補として、０，２，３，６，７，ハート及びクローバーが図柄種別表示欄２３上に表示し、その状態で、図柄変動欄２１ａ〜ｃには、図柄を四角形の囲み線内に表示し、図柄変動欄２１ｃには、「７」の上半分と「ハート」の下半分が表示される様子が図示されている。
　
４．引用例１記載の発明の認定
　記載アの「遊技機」として想定されているのは、記載イにあるとおり「パチンコ機」である。
　記載アの「前記リーチ状態を形成した際に前記確定候補表示手段の表示した図柄の候補の中の１つを当該リーチ状態で図柄の未確定な残り１つの可変表示領域に確定表示して今回の図柄合わせゲームの実行結果を確定させる」に際し、記載ケに従い、所定数の候補を仮に確定させ、その後、候補の数を１つずつ減少させてもよい。
　【図５】等における四角形の囲み線内部が記載アの「可変表示領域」に該当する。
　【図５】（ｉ）からは、図柄順としては「７」と「ハート」間に位置する確定候補以外の図柄、すなわち、「８」，「９」及び「スペード」が図柄変動欄（記載アの「可変表示領域」に等しいと認める。）２１ｃに表示されないことが読み取れ、このことから、リーチ状態発生後、未確定状態の図柄変動欄２１ｃには確定候補図柄のみを、図柄順に変動表示することが読み取れる。
　したがって、引用例１には次のような発明が記載されていると認めることができる。
「遊技盤面上に打ち出された球が特定入賞口へ入賞した際に所定の図柄合わせゲームを実行し、その結果が当たりのとき、ソレノイドにより開閉駆動されるアタッカーを開放することにより遊技者に有利な特別価値を付与するパチンコ機において、
予め定めた複数種類の図柄のうち任意のものを表示し得る可変表示領域を複数備えた可変表示手段と、所定の図柄が揃うことで当たりの出る図柄合わせゲームを前記可変表示手段上で実行する図柄合わせゲーム実行手段と、前記可変表示手段上に確定表示される図柄の候補として前記複数種類の図柄のうち任意数のものを選択表示する確定候補表示手段と、前記図柄合わせゲームで当たりが出たとき前記特別価値を発生させる特別価値発生手段とを備え、
前記可変表示領域は四角形の囲み線内部となるように構成され、
前記図柄合わせゲームの最終的な実行結果は抽選により決定するものであり、
前記確定候補表示手段は、前記可変表示手段上にあと１つ所定の図柄が揃うと当たりになるリーチ状態が形成されたとき、前記複数種類の図柄のうち任意数の図柄を当該リーチ状態で図柄の未確定な残り１つの可変表示領域に最終的に確定表示される図柄の候補として表示し、その後最終的に確定表示される図柄の候補を１つずつ減少し、
前記図柄合わせゲーム実行手段は、前記リーチ状態を形成した際に前記確定候補表示手段に表示した図柄の候補のみを、未確定な残り１つの可変表示領域に図柄の順に表示し、確定候補表示手段に表示した図柄の候補の中の１つを同領域に確定表示して今回の図柄合わせゲームの実行結果を確定させるパチンコ機。」（以下「引用発明１」という。）
　
５．補正発明と引用発明１の一致点及び相違点の認定
　引用発明１の「可変表示手段」、「複数種類の図柄」及び「ソレノイドにより開閉駆動されるアタッカー」は、補正発明の「複数の識別情報の図柄」、「表示装置」及び「特別電動役物」にそれぞれ相当し、引用発明１の「可変表示手段上に確定表示」された図柄（可変表示終了時の図柄）は補正発明の「確定識別情報」と異ならず、「所定の図柄が揃うこと」（引用発明１）と「確定識別情報が特定の組合せ」（補正発明）には表現上の相違しかないから、「表示装置に表示された複数の識別情報の図柄が変動し順次に停止して確定識別情報となった際に、前記確定識別情報が特定の組合せであれば、特別電動役物が作動して大当たり状態となるパチンコ機」であることは補正発明と引用発明１の一致点である。
　引用発明１では「図柄合わせゲームの最終的な実行結果は抽選により決定」している。他方、補正発明は「一定の時間間隔で更新されるカウンタの更新値をパチンコ球が始動口に入賞した時点で判定値として取得し所定値と比較する判定値比較手段」及び「前記判定値が所定値である場合には、前記確定識別情報を前記特定の組合せとする大当たり変動情報を作成し、前記判定値が前記所定値でない場合には、前記確定識別情報を、前記確定識別情報のうち最終停止識別情報のみが前記特定の組合せとは異なるリーチハズレの組合せにさせるリーチハズレ変動情報を作成し又は、前記確定識別情報を、前記特定の組合せ及び前記リーチハズレの組合せとは異なるものにさせる完全ハズレ変動情報を作成する変動情報作成手段」を備えるのであるが、抽選により「確定識別情報を前記特定の組合せとする大当たり変動情報を作成」するかどうかを決定する手段（以下「大当り決定手段」ということにする。）を備える点では一致している。また、「前記大当たり変動情報又は、前記リーチハズレ変動情報、前記完全ハズレ変動情報に基づ」くかどうかは別として、「大当り決定手段の決定結果に基づいて、表示装置に表示された複数の識別情報の図柄を変動させ順次に停止させて確定識別情報とし、その際に、各識別情報の図柄の表示を予め定められた順番で周期的に変動させる表示装置制御手段」を備えることも、当然補正発明と引用発明１の一致点である。
　引用発明１の「前記複数種類の図柄のうち任意数の図柄を当該リーチ状態で図柄の未確定な残り１つの可変表示領域に最終的に確定表示される図柄の候補として表示」と補正発明の「前記最終停止識別情報のみが変動しているリーチ状態になったときに、前記抽出図柄の全てを個々に円形の囲み線で囲んで前記表示装置に表示」を対比すると、「個々に円形の囲み線で囲」む点は相違点であるが、その余の点では一致している。また、引用発明１の「確定候補表示手段に表示した図柄の候補のみを、未確定な残り１つの可変表示領域に図柄の順に表示」と補正発明の「前記最終停止識別情報の図柄を四角形の囲み線で囲みながら前記抽出図柄で前記順番を維持して周期的に変動させて表示し、その際に、前記抽出図柄として選定されなかった図柄を省いて前記抽出図柄のみで連続的に変動」を対比すると、「前記最終停止識別情報の図柄を四角形の囲み線内部に、前記抽出図柄で前記順番を維持して周期的に変動させて表示し、その際に、前記抽出図柄として選定されなかった図柄を省いて前記抽出図柄のみで連続的に変動」の点で一致している。さらに、補正発明の「前記表示装置から前記抽出図柄を一つずつ消去させるとともに当該抽出図柄の囲み線を消去」は、引用発明１の「最終的に確定表示される図柄の候補を１つずつ減少」を具体化したものであるから、「抽出図柄を一つずつ減少」の限度で両発明は一致している。
　したがって、補正発明と引用発明１の一致点及び相違点は次のとおりである。
〈一致点〉
「表示装置に表示された複数の識別情報の図柄が変動し順次に停止して確定識別情報となった際に、前記確定識別情報が特定の組合せであれば、特別電動役物が作動して大当たり状態となるパチンコ機において、
　抽選により前記確定識別情報を前記特定の組合せとする大当たり変動情報を作成するかどうかを決定する大当り決定手段と、
　前記大当り決定手段の決定結果に基づいて、前記表示装置に表示された複数の識別情報の図柄を変動させ順次に停止させて前記確定識別情報とし、その際に、各識別情報の図柄の表示を予め定められた順番で周期的に変動させる表示装置制御手段と、を備え、
　前記表示装置制御手段は、前記最終停止識別情報の図柄の一部を抽出図柄として選定し、前記最終停止識別情報のみが変動しているリーチ状態になったときに、前記抽出図柄の全てを前記表示装置に表示するとともに、前記最終停止識別情報の図柄を四角形の囲み線内部に、前記抽出図柄で前記順番を維持して周期的に変動させて表示し、その際に、前記抽出図柄として選定されなかった図柄を省いて前記抽出図柄のみで連続的に変動させるとともに、前記抽出図柄を一つずつ減少させるパチンコ機。」
〈相違点１〉「大当り決定手段」に関して、補正発明が「一定の時間間隔で更新されるカウンタの更新値をパチンコ球が始動口に入賞した時点で判定値として取得し所定値と比較する判定値比較手段」及び「前記判定値が所定値である場合には、前記確定識別情報を前記特定の組合せとする大当たり変動情報を作成し、前記判定値が前記所定値でない場合には、前記確定識別情報を、前記確定識別情報のうち最終停止識別情報のみが前記特定の組合せとは異なるリーチハズレの組合せにさせるリーチハズレ変動情報を作成し又は、前記確定識別情報を、前記特定の組合せ及び前記リーチハズレの組合せとは異なるものにさせる完全ハズレ変動情報を作成する変動情報作成手段」を備えるとしているのに対し、引用発明１にはかかる限定がなく、大当たり変動情報を作成することは一致点であるものの、大当たり変動情報を作成しない場合に、「リーチハズレ変動情報」又は「完全ハズレ変動情報」のどちらかを作成するかどうかも不明である点。
〈相違点２〉「表示装置制御手段」に関して、補正発明が「前記大当たり変動情報又は、前記リーチハズレ変動情報、前記完全ハズレ変動情報に基づいて、」と限定するのに対し、引用発明１では、大当たり変動情報かどうかには基づくものの、大当たり変動情報でない場合に「前記リーチハズレ変動情報、前記完全ハズレ変動情報に基づ」くかどうか明らかでない点。
〈相違点３〉「最終停止識別情報の図柄の一部を抽出図柄として選定」するに当たり、補正発明が「前記大当たり変動情報又は前記リーチハズレ変動情報に基づいて前記確定識別情報を前記表示装置に表示する場合に、」行う旨限定するのに対し、引用発明１がかかる限定を有するとまではいえない点。
〈相違点４〉最終停止識別情報の図柄を四角形の囲み線内部に表示する点につき、補正発明が「最終停止識別情報の図柄を四角形の囲み線で囲みながら」と限定するのに対し、引用発明１が同限定を有するかどうか明らかでない点。
〈相違点５〉抽出図柄の全てを表示装置に表示するに当たり、補正発明が「個々に円形の囲み線で囲んで」と限定するのに対し、引用発明１は同限定を有さない点。
〈相違点６〉抽出図柄の減少につき、補正発明が「前記表示装置から前記抽出図柄を一つずつ消去させるとともに当該抽出図柄の囲み線を消去」と限定するのに対し、引用発明１では囲み線を含めて消去するとはいえない点。
　
６．相違点の判断及び補正発明の独立特許要件の判断
（１）相違点１〜３について
　「表示装置に表示された複数の識別情報の図柄が変動し順次に停止して確定識別情報となった際に、前記確定識別情報が特定の組合せであれば、特別電動役物が作動して大当たり状態となるパチンコ機」の技術分野においては、「一定の時間間隔で更新されるカウンタの更新値をパチンコ球が始動口に入賞した時点で判定値として取得し所定値と比較」することにより大当りかどうかの判定を行うこと、及び大当りでないと判定された場合に、「確定識別情報のうち最終停止識別情報のみが前記特定の組合せとは異なるリーチハズレの組合せにさせる」のか「前記特定の組合せ及び前記リーチハズレの組合せとは異なるものにさせる」のかを事前決定することが周知である。そのことは、原査定の拒絶の理由に引用された特開２０００−８４１８２号公報（以下「引用例２」という。）に、「Ｃ＿ＨＩＴは、可変表示装置４における特別図柄の可変表示の結果、大当たりを発生させるか否かを決定するための大当たり決定用のランダムカウンタである。Ｃ＿ＨＩＴは、０〜２５５のカウント範囲において、カウンタ値が所定タイミングごとに１ずつカウントアップ（加算）される。Ｃ＿ＨＩＴは、その上限までカウントアップされると、再度０からカウントをし直すように構成されている。」（段落【００６４】）、「Ｃ＿ＨＩＴの抽出値が予め定められた大当り判定値と一致した場合には、大当りを発生させることが事前に決定される。」（段落【００６５】）、「ハズレの事前決定がなされている場合は、ＳＣ２に進む。」（段落【０１０８】）及び「ＳＣ２では、リーチ表示状態を発生させることが事前に決定されているか否かの判断がなされる。」（段落【０１０９】）との各記載があることによって裏付けられる。
　補正発明の「リーチハズレ変動情報」及び「完全ハズレ変動情報」とは、上記周知技術において事前決定される情報にすぎないから、上記周知技術では補正発明でいうところの「変動情報作成手段」が必要である。
　そうである以上、引用発明１に上記周知技術を適用して、相違点１に係る補正発明の構成に至ることには何の困難性もない。
　相違点１に係る補正発明の構成を採用するのであれば、「大当たり変動情報」、「リーチハズレ変動情報」又は「完全ハズレ変動情報」の１つが作成されており、リーチ状態になるのは前２者の場合だけであるから、相違点２及び相違点３に係る補正発明の構成を採用することは必然的結果である。
　以上のとおりであるから、相違点１〜３に係る補正発明の構成を採用することは当業者にとって想到容易である。
　
（２）相違点４について
　「最終停止識別情報の図柄を四角形の囲み線で囲みながら」につき、個々の図柄を囲む四角形が存在するとの趣旨なのか、それとも最終停止識別情報の図柄が四角形の囲み線内部にあるとの趣旨なのか、請求項１の記載からは明らかでない。後者の趣旨であるとすると、相違点４は存在しない。
　相違点４に係る補正発明の構成は、平成１７年１２月２８日付け手続補正により追加された構成であるが、同日付け意見書において請求人は、「追加事項の中の「…四角形の囲み線で囲みながら…」については、出願当初の明細書の請求項２に明示的に記載された事項ではありませんが、出願当初の図２などの記載を考慮すれば、出願当初の明細書の記載から自明な事項であります。」（３頁２６〜２８行）と主張している。出願当初の【図２】には、最終停止識別情報の図柄が、符番７で示される四角形の囲み線内に変動表示されることが図示されているが、囲み線内に図示されているのは下向き矢印であるから、変動表示中において常に図柄を囲む四角形が存在するかどうかは分からない。
　そうすると、「最終停止識別情報の図柄を四角形の囲み線で囲みながら」が、個々の図柄を囲む四角形が存在するとの趣旨であるとすれば、新規事項追加の補正がされていることになり、新規事項追加補正がないとの前提のもとでは、相違点４は存在しない。
　そればかりか、引用発明１の実施例では、最終停止識別情報の図柄を可変表示領域（四角形の囲み線内部）にスクロール表示しているため、個々の図柄を囲む四角形は常には存在しないが、スクロール表示に代えて、瞬時に次の図柄に切り替えても構わないことは明らかであり、そのようにすれば、個々の図柄を囲む四角形が常に存在することになるから、「最終停止識別情報の図柄を四角形の囲み線で囲みながら」が、個々の図柄を囲む四角形が存在するとの趣旨であるとしても設計事項程度の軽微な相違点にすぎない。
　以上のとおりであるから、相違点４は実質的相違点でないか、又は設計事項程度の軽微な相違点にすぎない。
　
（３）相違点５について
　引用例２には、「中可変表示部で可変表示が継続されている最中に、左可変表示部および右可変表示部に数字図柄「７」が停止表示されてリーチ表示状態となれば、可変表示途中の中可変表示部に停止表示される特別図柄の候補としていくつかの特別図柄が予め画像表示部５に表示されて、可変表示装置４の表示結果が予告される場合がある。以下、予告のために画像表示部５に表示される特別図柄を予告図柄という。」（段落【００２８】）との記載があり、ここでいう「予告図柄」は補正発明の「抽出図柄」に相当する。　引用例２の【図２３】には、いくつかの予告図柄が画像表示部に表示される様子が図示されているところ、どの予告図柄をみても、個々の図柄に装飾が施されていることが看て取れる。
　引用発明１の実施例は「トランプカードに見立てたものの表面を表示するか裏面を表示」（記載コ）であり、「トランプカードに見立て」るということも、個々の図柄の装飾の一種である。
　そして、個々の図柄を装飾するために「円形の囲み線で囲」むことは、極めてありふれた周知技術であり、実際例えば特開２００１−３１４５９３号公報の【図２】〜【図４】及び特開２０００−１４０２８２号公報の【図１６】に図示されているとおりである。
　そうであれば、引用発明１において、「抽出図柄の全てを個々に円形の囲み線で囲んで前記表示装置に表示する」ことは、単に図柄装飾の手法として、上記のとおりの極めてありふれた周知技術を採用した程度であり、当業者にとって想到容易といわなければならない。
　
（４）相違点６について
　引用例２には「予告図柄１を消滅させることによって予告を取消す表示がなされ」（段落【００８６】）との記載があり、【図２３】（ｂ）〜（ｄ）には「予告図柄」の１つである「Ａ」が、その装飾部とともに画像表示部から追い出される様子が図示されている。
　引用発明１の実施例は、先に述べたように「トランプカードに見立てたものの表面を表示するか裏面を表示」（記載コ）であり、同実施例では、裏面を表示しても、装飾部を消去することはできないが、引用例１には「他の方法により候補の図柄を選択表示するようにしても良い。」（記載コ）と記載されているのだから、抽出図柄の表示、その図柄数の減少に当たっては、実施例に拘泥する必要はさらさらなく、引用例２記載の技術を採用して、抽出図柄とその装飾部を一つずつ消去することには何の困難性もない。
　そして、相違点５の容易性は上記のとおりであるが、図柄の装飾として「個々に円形の囲み線で囲」むことを採用した場合には、「円形の囲み線」が図柄装飾部に該当するから、抽出図柄消去の際に、「当該抽出図柄の囲み線を消去」することは必然的結果にすぎない。
　したがって、相違点６に係る補正発明の構成を採用することも当業者にとって想到容易である。
　
（５）補正発明の独立特許要件の判断
　以上述べたとおり、相違点１〜６は、実質的相違点でないか、設計事項程度であるか又は当業者にとって想到容易な相違点であり、これら相違点に係る補正発明の構成を採用したことによる格別の作用効果を認めることもできない。
　したがって、補正発明は引用発明１、引用例２記載の技術及び周知技術に基づいて当業者が容易に発明をすることができたものであるから、特許法２９条２項の規定により特許出願の際独立して特許を受けることができない。
　
［補正の却下の決定のむすび］
　以上のとおりであるから、平成１８年法律５５号改正附則３条１項によりなお従前の例によるとされる同法による改正前の特許法１７条の２第５項において準用する同法１２６条５項の規定に違反するので、同法１５９条１項において読み替えて準用する同法５３条１項の規定により、本件補正は却下されなければならない。
　よって、補正の却下の決定の結論のとおり決定する。
　
第３　本件審判請求についての判断
１．本願発明の認定
　本件補正が却下されたから、本願の請求項１に係る発明（以下「本願発明」という。）は、平成１７年１２月２８日付けで補正された明細書の特許請求の範囲【請求項１】に記載された事項によって特定される次のとおりのものと認める。
「表示装置に表示された複数の識別情報の図柄が変動し順次に停止して確定識別情報となった際に、前記確定識別情報が特定の組合せであれば、特別電動役物が作動して大当たり状態となるパチンコ機において、
　一定の時間間隔で更新されるカウンタの更新値をパチンコ球が始動口に入賞した時点で判定値として取得し所定値と比較する判定値比較手段と、
　前記判定値が所定値である場合には、前記確定識別情報を前記特定の組合せとする大当たり変動情報を作成し、前記判定値が前記所定値でない場合には、前記確定識別情報を、前記確定識別情報のうち最終停止識別情報のみが前記特定の組合せとは異なるリーチハズレの組合せにさせるリーチハズレ変動情報を作成し又は、前記確定識別情報を、前記特定の組合せ及び前記リーチハズレの組合せとは異なるものにさせる完全ハズレ変動情報を作成する変動情報作成手段と、
　前記大当たり変動情報又は、前記リーチハズレ変動情報、前記完全ハズレ変動情報に基づいて、前記表示装置に表示された複数の識別情報の図柄を変動させ順次に停止させて前記確定識別情報とし、その際に、各識別情報の図柄の表示を予め定められた順番で周期的に変動させる表示装置制御手段と、を備え、
　前記表示装置制御手段は、前記大当たり変動情報又は前記リーチハズレ変動情報に基づいて前記確定識別情報を前記表示装置に表示する場合に、前記最終停止識別情報の図柄の一部を抽出図柄として選定し、前記最終停止識別情報のみが変動しているリーチ状態になったときに、前記抽出図柄の全てを円形の囲み線で囲みながら前記表示装置に表示するとともに、前記最終停止識別情報の図柄を四角形の囲み線で囲みながら前記抽出図柄で前記順番を維持して周期的に変動させて表示し、その際に、前記抽出図柄として選定されなかった図柄を省いて前記抽出図柄のみで連続的に変動させるとともに、前記表示装置から前記抽出図柄を一つずつ消去させるとともに当該抽出図柄の囲み線を消去させること、を特徴とするパチンコ機。」
　
２．本願発明の進歩性の判断
　本願発明と補正発明を比較すると、「前記抽出図柄の全てを円形の囲み線で囲みながら前記表示装置に表示」（本願発明）と「前記抽出図柄の全てを個々に円形の囲み線で囲んで前記表示装置に表示」（補正発明）以外には、文言上異なる点はない。「前記抽出図柄の全てを個々に円形の囲み線で囲んで前記表示装置に表示」との構成は、「前記抽出図柄の全てを円形の囲み線で囲みながら前記表示装置に表示」との構成を限定したものであるから、補正発明に進歩性がなければ本願発明にも進歩性がないことになる。
　そして、補正発明が引用発明１、引用例２記載の技術及び周知技術に基づいて当業者が容易に発明をすることができたことは、「第２［理由］」で述べたとおりであるから、同様の理由により、本願発明も引用発明１、引用例２記載の技術及び周知技術に基づいて当業者が容易に発明をすることができたといわざるを得ない。
　したがって、本願発明は特許法２９条２項の規定により特許を受けることができない。
　
第４　むすび
　本件補正は却下されなければならず、本願発明が特許を受けることができないから、本願は拒絶を免れない。
　よって、結論のとおり審決する。